(57)【特許請求の範囲】
【請求項１】
撮像装置の下部に係脱される縦位置グリップ装置であって、
前記縦位置グリップ装置は、
左右方向に延在するグリップ部を有する左右に細長形状の筐体と、
長手方向の端部に電池側端子が設けられた細長形状を呈する２つの電池が電池用トレーと共に装脱される、前記筐体に設けられた電池室とを有し、
前記電池用トレーは、幅よりも大きい寸法の長さを有する細長形状の底壁と、前記底壁の長手方向の中央の表面から起立し幅方向に沿って延在する中間壁とを有して、２つの電池収容スペースが前記底壁と前記中間壁によって前記中間壁を挟んで形成され、
前記２つの電池収容スペースは、前記底壁の長手方向の両端において前記中間壁から離れる方向に開放状に形成され、
前記電池用トレーは、前記２つの電池が前記電池収容スペースに１つずつそれら電池の長手方向が同一直線上を延在し、前記２つの電池の前記電池側端子が向かい合うように並べられて収容される細長形状を呈し、
前記電池室は、前記筐体の長手方向に沿った細長形状を呈しその長手方向の一端が前記筐体に開口を介して開放されて前記電池用トレーが該電池用トレーの長手方向に沿って前記開口から装脱可能に設けられ、
前記電池用トレーが前記電池室に収容された状態で、前記電池用トレーの前記電池収容スペースの一方が前記電池室の前記開口に対して開放され、
前記電池用トレーは、前記中間壁の厚さ方向の両側にそれぞれ前記電池側端子に接続されるトレー側端子と、前記底壁の前記中間壁に対して反対の裏面に設けられかつ前記底壁の長手方向の中央に設けられ、前記トレー側端子と電気的に接続されるトレー側コネクタとを備え、
前記電池室には、前記トレー側コネクタに係脱する電池室側コネクタが設けられ、
前記開口を開閉する蓋体が設けられ、
前記筐体の上部に、前記撮像装置の筐体の底面と同じ輪郭の取り付け面が設けられ、
前記取り付け面に、収容凹部が上方に開放状に形成され、
前記収容凹部は、前記撮像装置の筐体の底面に開口し電池が装脱される撮像装置側電池室の開口を開閉する電池室用蓋体を収容する、
ことを特徴とする縦位置グリップ装置。
【請求項２】
前記電池は、厚さと、前記厚さよりも大きい寸法の幅と、前記幅よりも大きい寸法の長さを有し、
前記電池室は、前記電池用トレーに収容された前記電池の幅方向が前記筐体の上下方向に向けて前記電池が前記電池用トレーと共に装脱されるように設けられている、
ことを特徴とする請求項１記載の縦位置グリップ装置。
【発明の詳細な説明】
【技術分野】
【０００１】
本発明は縦位置グリップ装置に関する。
【背景技術】
【０００２】
デジタルスチルカメラなどの撮像装置によって撮影を行うに際しては、撮像装置の筐体の長手方向の両側を左右の手で掴み、左右の手を左右に位置させ、筐体の長手方向を水平に向けた状態で筐体を保持して撮影する、いわゆる横位置での撮影を行うことが多く、したがって、シャッタースイッチなどの撮影にまつわる操作スイッチも横位置での撮影時に操作しやすいように筐体に配置されている。
一方、撮像装置の撮影光学系の光軸を中心にして横位置に対して９０度筐体を回転した状態で撮影する、いわゆる縦位置での撮影を行う場合には、筐体の長手方向両側を把持する手が上下に位置してしまうことから、撮影姿勢が不自然となる不都合が生じる。
そのため、撮像装置を縦位置で撮影する場合であっても、横位置での撮影時と同様に左右の手が左右に位置した状態で筐体を保持できるように、筐体の底部に装脱可能に装着される縦位置グリップ装置が提供されている（特許文献１参照）。
この種の縦位置グリップ装置は、細長形状の筐体を有し、筐体の長手方向を撮像装置の幅方向と平行させて筐体の底部に装着されるとともに、２個の電池を収容する電池室を有し、該電池室に収容された２個の電池の電力を撮像装置に供給する機能を有している場合が多い。
従来の縦位置グリップ装置では、電池室は、２個の電池をそれらの長手方向をそれぞれ筐体の前後方向に向け筐体の左右方向に並べて収容するように設けられている。
【特許文献１】特開平１１−２０２３９１
【発明の開示】
【発明が解決しようとする課題】
【０００３】
そのため、従来の縦位置グリップ装置では、縦位置グリップ装置の筐体の前後方向に占めるスペースが大きくなり、縦位置グリップ装置のコンパクト化を図れず、縦位置グリップ装置の撮影時の操作性や携帯性、収納性の点で不利があった。
本発明はこのような事情に鑑みなされたもので、その目的は、コンパクト化を図れ、操作性や携帯性、収納性を向上できる縦位置グリップ装置を提供することにある。
【課題を解決するための手段】
【０００４】
上述の目的を達成するため、本発明は、撮像装置の下部に係脱される縦位置グリップ装置であって、前記縦位置グリップ装置は、左右方向に延在するグリップ部を有する左右に細長形状の筐体と、前記筐体に設けられ電池が電池用トレーと共に装脱される電池室とを有し、前記電池用トレーは、細長形状を呈する２つの電池が、それら電池の長手方向が同一直線上を延在するように並べられて収容される細長形状を呈し、前記電池室は、前記筐体の長手方向に沿った細長形状を呈しその長手方向の一端が前記筐体に開口を介して開放されて前記電池用トレーが該電池用トレーの長手方向に沿って前記開口から装脱可能に設けられ、前記開口を開閉する蓋体が設けられ、前記筐体の上部に、前記撮像装置の筐体の底面と同じ輪郭の取り付け面が設けられ、前記取り付け面に、収容凹部が上方に開放状に形成され、前記収容凹部は、前記撮像装置の筐体の底面に開口し電池が装脱される撮像装置側電池室の開口を開閉する電池室用蓋体を収容することを特徴とする。
また、本発明は、撮像装置の下部に係脱される縦位置グリップ装置であって、前記縦位置グリップ装置は、左右方向に延在するグリップ部を有する左右に細長形状の筐体と、前記筐体に設けられた電池室とを有し、前記電池室は、前記筐体の前後方向に沿った幅と、前記幅よりも大きな寸法で前記筐体の上下方向に沿った高さとを有して前記高さよりも大きな寸法で前記筐体の左右方向に沿って延在する深さを有する細長形状を呈し、前記電池室の長手方向の端部は前記筐体に設けられた開口を介して開放され、前記開口を開閉する蓋体が設けられ、前記筐体の上部に、前記撮像装置の筐体の底面と同じ輪郭の取り付け面が設けられ、前記取り付け面に、収容凹部が上方に開放状に形成され、前記収容凹部は、前記撮像装置の筐体の底面に開口し電池が装脱される撮像装置側電池室の開口を開閉する電池室用蓋体を収容することを特徴とする。
【発明の効果】
【０００５】
本発明によれば、縦位置グリップ装置のコンパクト化を図れ、縦位置グリップ装置の操作性や携帯性、収納性を向上できる。
【発明を実施するための最良の形態】
【０００６】
次に本発明の実施の形態について図面を参照して説明する。
図１は撮像装置１０および縦位置グリップ装置３０の正面図、図２は撮像装置１０に縦位置グリップ装置３０が装着される過程を示す正面図、図３は撮像装置１０に縦位置グリップ装置３０が装着された状態を示す正面図、図４は撮像装置１０に縦位置グリップ装置３０が装着された状態を示す背面図である。
また、図１３は撮像装置１０および縦位置グリップ装置３０の制御系を示すブロック図である。
【０００７】
図３、図４に示すように、縦位置グリップ装置３０は、撮像装置１０に取り付けられることで撮像装置１０を縦位置で撮影する際に手で把持される縦位置グリップとして機能する。すなわち、縦位置グリップ装置３０が取り付けられた撮像装置１０を縦位置とするとともに縦位置グリップ装置３０のグリップ部３２Ａを右手で把持することにより、その右手の指で縦位置グリップ装置３０のシャッタースイッチ４４Ａを操作することができ、また、撮像装置１０を縦位置とした状態で縦位置グリップ装置３０の操作スイッチ４４Ｃおよび制御スイッチ４４Ｄの操作が容易に行える。
また、図１に示すように、縦位置グリップ装置３０には２個の電池５０が収容され、縦位置グリップ装置３０は、撮像装置１０に取り付けられることで、撮像装置１０へ２個の電池５０の電力を供給する電源装置としても機能することになる。すなわち、縦位置グリップ装置３０を使用した場合には撮像装置１０の使用時間をほぼ２倍に延ばすことができる。
【０００８】
縦位置グリップ装置３０が装着される撮像装置１０は、図１、図４に示すように、本実施の形態ではデジタルスチルカメラである。
撮像装置１０は、外装を構成する撮像装置側筐体１２を有している。なお、本明細書において左右は、撮像装置１０を前方から見た状態でいうものとし、また、光学系の光軸方向で被写体側を前方といい、撮像素子側を後方という。
撮像装置側筐体１２は前後の厚さと、厚さよりも大きな寸法の上下の高さと、高さよりも大きな寸法の左右の幅とを有している。
撮像装置側筐体１２の前面には撮影光学系１４を収容保持する鏡筒１６が設けられている。
撮像装置側筐体１２の上端面には、撮像を行うためのシャッタースイッチ１８Ａや撮影モードを設定するための設定ダイヤル１８Ｂが設けられている。
撮像装置側筐体１２の後面には、撮像した映像を表示するディスプレイ２０、撮影、記録、映像表示などの種々の動作にまつわる操作を行うための複数の操作スイッチ１８Ｃ、ディスプレイ２０上に表示されるメニューを選択するなどの操作を行うための制御スイッチ１８Ｄなどが設けられている。
撮像装置側筐体１２の底面１９には、三脚取り付け用の雌ねじ２２が設けられている。
また、撮像装置側筐体１２の左側部には、底面１９に開口し電池５０（図９）が１個装脱される電池室２４が設けられており、電池室２４の開口は図示しない蓋体によって開閉されるように構成されている。
電池室２４を構成する壁部には、撮像装置側電源端子２６と、撮像装置側信号端子２８が設けられている。
撮像装置側電源端子２６は、電池室２４に収容された電池５０の電池側端子５２（図９）に接続され電池５０からの電力が供給されるものであり、また、後述するグリップ装置側電源端子４６に接続されることで縦位置グリップ装置３０から電力が供給されるものである。本実施の形態では、撮像装置側電源端子２６は３つ設けられている。
また、撮像装置側信号端子２８は、縦位置グリップ装置３０のグリップ装置側信号端子４８に接続可能に形成されている。本実施の形態では、撮像装置側信号端子２８は複数設けられている。
【０００９】
図１３に示すように、鏡筒１６の後部には、撮影光学系１４によって結像された被写体像を撮像するＣＣＤやＣＭＯＳセンサなどで構成された撮像素子１０Ａが配設されている。
撮像装置１０は、撮像素子１０Ａから出力された撮像信号に基づいて画像データを生成し、メモリカードなどの記録媒体２に記録する画像処理部１０Ｂ、前記画像データをディスプレイ２０に表示させる表示処理部１０Ｃ、電源部１０Ｄ、制御部１０Ｅなどを備えている。
電源部１０Ｄは、撮像装置側電源端子２６を介して供給される電力を所定の電流、電圧に調整して各部１０Ａ，１０Ｂ，１０Ｃ、１０Ｅ、ディスプレイ２０などに供給するものである。
制御部１０Ｅは、シャッタースイッチ１８Ａ、設定ダイヤル１８Ｂ、操作スイッチ１８Ｃ、制御スイッチ１８Ｄの操作に応じて画像処理部１０Ｂ、表示処理部１０Ｃなどを制御するものであり、制御プログラムによって動作を行うＣＰＵを有している。
また、制御部１０Ｅは、縦位置グリップ装置３０から供給される操作信号をグリップ装置側信号端子４８と撮像装置側信号端子２８を介して受け付けて画像処理部１０Ｂ、表示処理部１０Ｃなどを制御する。
【００１０】
次に縦位置グリップ装置３０について詳細に説明する。
図５は縦位置グリップ装置３０を前方から見た斜視図、図６は縦位置グリップ装置３０を後方から見た斜視図、図７は縦位置グリップ装置３０の電池室３８に電池５０が収容された状態を示す斜視図で、図８は縦位置グリップ装置３０の電池室３８に電池５０が収容される状態を示す斜視図である。
図１乃至図３、図５、図６に示すように、縦位置グリップ装置３０はグリップ装置側筐体３２を有し、グリップ装置側筐体３２には電池室３８が設けられている。
【００１１】
図５に示すように、グリップ装置側筐体３２は左右に細長の形状を呈している。
グリップ部３２Ａは、グリップ装置側筐体３２の前部に設けられ前方に膨出しつつ左右方向に延在している。
グリップ装置側筐体３２の上部には、撮像装置側筐体１２の底面１９と同じ輪郭の取り付け面３４が設けられ、撮像装置側筐体１２の底面の雌ねじ２２に螺合可能な取り付けねじ３５が取り付け面３４から突出している。
図６に示すように、グリップ装置側筐体３２の上部には、取り付けねじ３５を回転操作するための操作ダイヤル３５Ａが設けられ、この操作ダイヤル３５Ａの周方向の一部は、回転操作できるようにグリップ装置側筐体３２の後面に露出している。
また、グリップ装置側筐体３２の上面には、撮像装置１０の電池室２４の蓋体（不図示）を収容する収容凹部３７が上方に開放状に形成されている。
【００１２】
グリップ装置側筐体３２の前面には、図５に示すように、シャッタースイッチ４４Ａがグリップ部３２Ａの長手方向の端部である左端に設けられている。シャッタースイッチ４４Ａは撮像装置１０に設けられたシャッタースイッチ１８Ａと同様の機能を奏するものである。
グリップ装置側筐体３２の後面には、図６に示すように、操作スイッチ４４Ｃおよび制御スイッチ４４Ｄが設けられている。操作スイッチ４４Ｃおよび制御スイッチ４４Ｄは撮像装置１０に設けられた操作スイッチ１８Ｃおよび制御スイッチ１８Ｄと同様の機能を奏するものである。
【００１３】
グリップ装置側筐体３２の上部の左側部には、図５、図６に示すように、撮像装置１０の電池室２４に挿入される柱部３６が設けられている。
柱部３６の先部には、撮像装置側電源端子２６に接続可能なグリップ装置側電源端子４６と、撮像装置側信号端子２８に接続可能なグリップ装置側信号端子４８とが設けられている。
グリップ装置側電源端子４６は、図１３に示すように、電池室３８に収容された２個の電池５０に電気的に接続され、２個の電池５０の電力がグリップ装置側電源端子４６に供給されるように構成されている。
グリップ装置側信号端子４８は、図１３に示すように、シャッタースイッチ４４Ａ、操作スイッチ４４Ｃおよび制御スイッチ４４Ｄに電気的に接続され、スイッチ４４Ａ、４４Ｃ、４４Ｄからの操作信号がグリップ装置側信号端子４８に供給されるように構成されている。
【００１４】
図９は電池５０の斜視図である。
電池５０は、図９に示すように、厚さと、厚さよりも大きな寸法の幅と、幅よりも大きな寸法の長さを有する細長形状を呈し、その長手方向の端部に３つの電池側端子５２が設けられている。
本実施の形態では、電池５０は、充電可能な２次電池であり、このような２次電池として例えばリチウムイオン電池やニッケル水素電池が挙げられる。
【００１５】
電池室３８は、図７、図８に示すように、２つの電池５０が、それらの幅方向をグリップ装置側筐体３２の上下方向に向け、かつ、それらの電池側端子５２を向かい合わせ、さらに、それら電池５０の長手方向がグリップ装置側筐体３２の左右方向に沿って同一直線上を延在するように並べて収容するように構成されている。
より詳細には、電池室３８は筐体の前後方向に沿った幅と、前記幅よりも大きな寸法で前記筐体の上下方向に沿った高さとを有して前記高さよりも大きな寸法で前記筐体の左右方向に沿って延在する深さを有する細長形状を呈している。
また、電池室３８にはグリップ装置側電源端子４６とリード線などの配線材を介して電気的に接続された電池室側コネクタ５８（図１３）が設けられている。
電池室３８の長手方向の端部である右端は、図７に示すように、グリップ装置側筐体３２の右側部に開口し、この開口３８Ａを開閉する蓋体３９が設けられている。
なお、図７は電池室３８に電池５０が収容された状態を示し、図８は電池室３８に電池５０を収容する状態を示している。
【００１６】
本実施の形態では、２個の電池５０が収容される電池用トレー４０が設けられ、２個の電池５０は電池用トレー４０とともに電池室３８に装脱される。
図１０は電池用トレー４０の斜視図、図１１は電池用トレー４０の上下を反転させた斜視図、図１２は電池用トレー４０に電池５０を収容する説明図である。
電池用トレー４０は、図１２に示すように、２つの電池５０を、それらの電池側端子５２を向かい合わせ、かつ、それら電池５０の長手方向が同一直線上を延在するように並べて収容する２つの細長形状の電池収容スペース５１を備え、電池用トレー４０は電池収容スペース５１が並べられた方向に細長形状を呈している。
電池用トレー４０は、図１０、図１１に示すように、フレーム６０と、電池５０の電池側端子５２に電気的に接続可能なトレー側端子５４と、トレー側端子５４に電気的に接続され外部機器（縦位置グリップ装置３０の電池室３８の電池室側コネクタ５８）に係脱されるトレー側コネクタ５６とを備える。
【００１７】
フレーム６０は、幅よりも大きい寸法の長さを有する細長形状の底壁６２と、底壁６２の表面の幅方向の両側から起立する側壁６４と、底壁６２の長手方向の中央の表面から起立し幅方向に沿って延在する中間壁６６とを有し、合成樹脂により一体成形されている。
２つの電池収容スペース５１は、底壁６２と両側の側壁６４と中間壁６６とにより中間壁６６を挟んで形成されている。したがって、２つの電池収容スペース５１は、底壁６２の長手方向の両端において中間壁６６から離れる方向に開放状に形成されている。
トレー側端子５４は、中間壁６６の厚さ方向の両側にそれぞれ設けられ、各電池収容スペース５１に収容された電池５０の電池側端子５２に接続される。
トレー側コネクタ５６は、底壁６２の裏面で底壁６２の長手方向の端部に設けられている。
なお、トレー側端子５４とトレー側コネクタ５６とは図示しないリード線で接続されている。
【００１８】
次に縦位置グリップ装置３０の使用方法について説明する。
電池用トレー４０の電池収容スペース５１に２個の電池５０を収容し、縦位置グリップ装置３０の電池室３８に、２個の電池５０を電池用トレー４０と共に挿入し、蓋体３９を閉じる。
次に、撮像装置１０の電池室２４から電池５０を取り除いて電池室２４を空とし、この電池室２４に縦位置グリップ装置３０の柱部３６を挿入し、撮像装置１０の撮像装置側筐体１２の下部にグリップ装置側筐体３２の上部を合わせる。この際に、撮像装置１０の電池室２４の蓋体が収容凹部３７に収容される。
そして、操作ダイヤル３５Ａを回転操作し、雌ねじ２２に取り付けねじ３５を螺合することで撮像装置１０に縦位置グリップ装置３０を連結する。
電池室２４に柱部３６が挿入されることで、撮像装置側電源端子２６にグリップ装置側電源端子４６が接続され、撮像装置側信号端子２８にグリップ装置側信号端子４８が接続される。
これにより、縦位置グリップ装置３０に収容された２個の電池５０の電力がグリップ装置側電源端子４６から撮像装置側電源端子２６を介して電源部１０Ｄに供給され、撮像装置１０が動作可能な状態になるとともに、縦位置グリップ装置３０の各スイッチ４４Ａ，４４Ｃ，４４Ｄからの操作信号がグリップ装置側信号端子４８から撮像装置側信号端子２８を介して制御部１０Ｅに供給可能な状態となる。
したがって、縦位置グリップ装置３０の各スイッチ４４Ａ，４４Ｃ，４４Ｄを操作することで、撮像装置１０がそれらスイッチ４４Ａ，４４Ｃ，４４Ｄに対応した撮影動作や画像の再生動作など種々の動作がなされる。
【００１９】
本実施の形態によれば、電池室３８に、２つの電池５０が、それらの電池側端子５２を向かい合わせ、かつ、それら電池５０の長手方向がグリップ装置側筐体３２の左右方向に沿って同一直線上を延在するように並べて収容されるので、縦位置グリップ装置３０のグリップ装置側筐体３２が前後方向に占めるスペースを縮小でき、縦位置グリップ装置３０のコンパクト化を図れ、縦位置グリップ装置３０の撮影時の操作性を高めるとともに携帯性や収納性を高め、ひいてはデザイン性を高める上でも有利となる。
また、本実施の形態では、２個の電池５０の幅方向が、グリップ装置側筐体３２の上下方向に平行するように２個の電池５０が電池室３８に収容されるので、特にグリップ装置側筐体３２の前後方向の寸法を短縮する上で有利となり、縦位置グリップ装置３０の薄型化を図れ、縦位置グリップ装置３０の撮影時の操作性を高めるとともに携帯性や収納性を高め、ひいてはデザイン性を高める上でもより一層有利となる。
【００２０】
また本実施の形態では、電池室３８をグリップ装置側筐体３２の左右方向に延在させたので、電池室３８を開閉する蓋体３９をグリップ装置側筐体３２の右側部に配置でき、これにより従来のように蓋体３９がグリップ装置側筐体３２の前面または後面に位置する場合に比べ、蓋体３９を把持しないのでグリップ部３２Ａをしっかりと保持でき、縦位置グリップ装置３０の使用感を向上する上で有利となる。
また本実施の形態では、撮像装置１０の電池室２４の蓋体が収容される収容凹部３７をグリップ装置側筐体３２に設けたので、前記蓋体が邪魔になることが無く、縦位置グリップ装置３０の使い勝手を高める上で有利となる。
また本実施の形態では、電池用トレー４０が電池室３８に収容された状態で、電池用トレー４０の一方の電池収容スペース５１は、電池室３８の開口３８Ａに対して開放されているので、電池用トレー４０を電池室３８を仕切る部材としても兼用でき、電池用トレー４０の実用的効果を高める上で有利となる。すなわち、この場合には、開口３８Ａに臨む電池収容スペース５１に電池５０を挿脱することにより、１個の電池５０による縦位置グリップ装置３０の使用が可能となる。
【００２１】
なお、図１４に示すように、トレー側コネクタ５６を底壁６２の裏面で底壁６２の長手方向の中央部に設けると、トレー側端子５４とトレー側コネクタ５６とを接続するリード線の長さを最短とすることができる。
その場合には、リード線が有する抵抗成分（導体抵抗）を抑制できることから、電池５０の電力のロスを減らすことができ、省電力化および電池５０の長寿命化を図る上で有利となる。
また、このように電池用トレー４０側の配線（電池用トレー４０の配線）が最短となるように構成された電池用トレー４０を使用する外部機器の設計にあたっては、電池用トレー４０以降の配線（電池室側コネクタ５８から電源部１０Ｄまでの配線）のみを考慮してその配線がなるべく短縮されるように設計すれば、電池５０の省電力化を図ることができ設計の効率化を図る上でも有利となる。
【００２２】
また、トレー側コネクタ５６を底壁６２の長手方向の中央部に設けると、トレー側コネクタ５６は電池用トレー４０の長手方向の中央に位置することになり、したがって、トレー側コネクタ５６に接続する電池室側コネクタ５８を電池室３８の深さ方向の中央に位置させることができ、電池室側コネクタ５８とグリップ装置側電源端子４６とを接続する配線材のレイアウトを簡単に行う上で有利となる。
【００２３】
なお、本実施の形態では、電池室３８に、２つの電池５０が、それらの電池側端子５２を向かい合わせ、かつ、それら電池５０の長手方向がグリップ装置側筐体３２の左右方向に沿って同一直線上を延在するように並べて収容される場合、および、電池用トレーに２つの電池５０が、それらの電池側端子５２を向かい合わせ、かつ、それら電池５０の長手方向がグリップ装置側筐体３２の左右方向に沿って同一直線上を延在するように並べて収容される場合について説明したが、２個の電池５０を収容するに際して、それらの電池側端子５２を反対方向に向け、あるいは、それらの電池側端子５２を同一方向に向けて収容してもよく、この場合にも、縦位置グリップ装置３０のグリップ装置側筐体３２が前後方向に占めるスペースを縮小でき、縦位置グリップ装置３０のコンパクト化を図れ、撮影時の操作性を高めるとともに携帯性や収納性を高め、ひいてはデザイン性を高める効果が奏される。
また、互いに係合する凸部や凹部からなり電池５０を電池室３８や電池用トレー４０に係脱させる構造を設けるなど任意である。
また、本発明は縦位置グリップ装置３０に限定されず、電池室を有する電子機器に広く適用される。例えば、本発明はビデオカメラにも適用可能である。この場合には、電池室は、前記２つの電池が、それらの幅方向を電子機器の筐体の長手方向と直交する方向に向け、かつ、それら電池の長手方向が前記筐体の長手方向に沿って同一直線上を延在するように並べて収容される。
【図面の簡単な説明】
【００２４】
【図１】撮像装置１０および縦位置グリップ装置３０の正面図である。
【図２】撮像装置１０に縦位置グリップ装置３０が装着される過程を示す正面図である。
【図３】撮像装置１０に縦位置グリップ装置３０が装着された状態を示す正面図である。
【図４】撮像装置１０に縦位置グリップ装置３０が装着された状態を示す背面図である。
【図５】縦位置グリップ装置３０を前方から見た斜視図である。
【図６】縦位置グリップ装置３０を後方から見た斜視図である。
【図７】縦位置グリップ装置３０の電池室３８に電池５０が収容された状態を示す斜視図である。
【図８】縦位置グリップ装置３０の電池室３８に電池５０が収容される状態を示す斜視図である。
【図９】電池５０の斜視図である。
【図１０】電池用トレー４０の斜視図である。
【図１１】電池用トレー４０の上下を反転させた斜視図である。
【図１２】電池用トレー４０に電池５０を収容する説明図である。
【図１３】撮像装置１０および縦位置グリップ装置３０の制御系を示すブロック図である。
【図１４】電池用トレー４０の変形例を示す説明図である。
【符号の説明】
【００２５】
１０……撮像装置、３０……縦位置グリップ装置、３２……グリップ装置側筐体、３８……電池室、３８Ａ……開口、３９……蓋体、４０……電池用トレー、５０……電池、５１……電池収容スペース、５２……電池側端子。
【図１】
0004462308.tif 000002
【図２】
0004462308.tif 000003
【図３】
0004462308.tif 000004
【図４】
0004462308.tif 000005
【図５】
0004462308.tif 000006
【図６】
0004462308.tif 000007
【図７】
0004462308.tif 000008
【図８】
0004462308.tif 000009
【図９】
0004462308.tif 000010
【図１０】
0004462308.tif 000011
【図１１】
0004462308.tif 000012
【図１２】
0004462308.tif 000013
【図１３】
0004462308.tif 000014
【図１４】
0004462308.tif 000015